(57)【要約】【課題】本発明の目的は、ネットワークに接続された機器を遠隔操作で電源オンにすることを、待機電力を浪費することなく実現しようとするものである。【解決手段】既知の機能であるＰｏＥ機能と組み合わせることで、ＷａｋｅＵＰパケットの受信が必要な時だけＰｏＥ機能による電源供給を受けてＷＡＫＥ−ＯＮ−ＬＡＮ機能を実現することにより、待機電源の浪費をゼロにすることを実現した。【選択図】図１
2009284116.tif 000002
【特許請求の範囲】
【請求項１】
遠隔操作端末からネットワークを介してＬＡＮに接続され、ＷＡＫＥ−ＯＮ−ＬＡＮ機能ネットワークデバイスを含む被遠隔操作端末の電源を制御するシステムにおいて、
前記ネットワークと前記ＬＡＮとの間にＰｏＥ機能を有するＰｏＥ対応ネットワーク機器を設け、
前記遠隔操作端末から前記被遠隔操作端末のウェークアップ指示をしたとき、前記遠隔操作端末のＷａｋｅＵＰパケットを前記ＰｏＥ対応ネットワーク機器にて受け、該ネットワーク機器の前記被遠隔操作端末の接続ポートに電源を供給し、該電源をもって前記被遠隔操作端末のＷＡＫＥ−ＯＮ−ＬＡＮ機能ネットワークデバイスの電源をオンし、該ネットワークデバイスにて前記遠隔操作端末のＷａｋｅＵＰパケットを受信し、前記被遠隔操作端末の主電源をオンすることを特徴とするネットワークシステム。
【請求項２】
前記ＰｏＥ対応ネットワーク機器が、ルータ又はＬＡＮスイッチからなり、前記ＬＡＮからパケットを送受信するＰｏＥ機能対応ネットワークデバイス部と、フォワーディング処理部、前記パケットを格納するメモリ部を含み、フォワーディング機能を有するフォワーデリング制御部と、ＷａｋｅＵＰ機能を有するＷａｋｅＵＰ制御部からなり、
前記フォワーデリング制御部は前記メモリ部のパケットがＷａｋｅＵＰパケットかどうか確認し、該確認結果、ＷａｋｅＵＰパケットの場合、ウェークアップ対象となる被遠隔操作端末が前記ＬＡＮに直収されているか否かを判断し、
該判断結果、前記ＬＡＮに直収されている被遠隔操作端末である場合には前記ＷａｋｅＵＰ制御部から前記ＰｏＥ機能対応ネットワークデバイス部を介して前記被遠隔操作端末のＷＡＫＥ−ＯＮ−ＬＡＮ機能ネットワークデバイスに電源を供給し、
該判断結果、前記ＬＡＮに直収されていない場合には前記パケットの宛先によりフォワーディング先を決定し、前記ＰｏＥ機能対応ネットワークデバイスに前記パケットの送信指示を行うことを特徴とする請求項１記載のネットワークシステム。
【請求項３】
ＬＡＮ上に接続されたＰｏＥ対応機器と、前記ＬＡＮ上に接続されたＷＡＫＥ−ＯＮ−ＬＡＮ機能及びＰｏＥ機能により別のＬＡＮに電源供給可能な機器と、別のＬＡＮ上に接続されたＷＡＫＥ−ＯＮ−ＬＡＮ機能対応機器またはＷＡＫＥ−ＯＮ−ＬＡＮ機能及びＰｏＥ機能を備えた機器により、ＰｏＥ機能の電源供給にてＷＡＫＥ−ＯＮ−ＬＡＮ機能を動作させることで待機電源を浪費することなく遠隔操作にて主電源をONにすることを可能とし、前述のＷＡＫＥ−ＯＮ−ＬＡＮ機能及びＰｏＥ機能を備えた機器は自装置がウェークアップするとともに自装置のＰｏＥ機能による電源供給にて、別のＬＡＮ上のＷＡＫＥ−ＯＮ−ＬＡＮ対応機器のＷＡＫＥ−ＯＮ−ＬＡＮ機能を動作させることで待機電源を浪費することなく遠隔操作にて主電源をオンにすることを特徴とするネットワークシステム。
【請求項４】
遠隔操作端末からネットワークを介してＬＡＮに接続され、ＷＡＫＥ−ＯＮ−ＬＡＮ機能ネットワークデバイスを含む被遠隔操作端末の電源を制御するシステムにおいて、前記遠隔操作端末から前記被遠隔操作端末のウェークアップ指示をしたとき、前記遠隔操作端末のＷａｋｅＵＰパケットを前記ＰｏＥ対応ネットワーク機器にて受け、該ネットワーク機器の前記被遠隔操作端末の接続ポートに電源を供給し、該電源をもって前記被遠隔操作端末のＷＡＫＥ−ＯＮ−ＬＡＮ機能ネットワークデバイスの電源をオン、該被遠隔操作端末の主電源をオンするネットワーク機器。
【請求項５】
前記ネットワーク機器が、ルータ又はＬＡＮスイッチからなり、前記ＬＡＮからパケットを送受信するＰｏＥ機能対応ネットワークデバイス部と、フォワーディング処理部、前記パケットを格納するメモリ部を含み、フォワーディング機能を有するフォワーデリング制御部と、ＷａｋｅＵＰ機能を有するＷａｋｅＵＰ制御部からなり、
前記フォワーデリング制御部は前記メモリ部のパケットがＷａｋｅＵＰパケットかどうか確認し、該確認結果、ＷａｋｅＵＰパケットの場合、ウェークアップ対象となる被遠隔操作端末が前記ＬＡＮに直収されているか否かを判断し、
該判断結果、前記ＬＡＮに直収されている被遠隔操作端末である場合には前記ＷａｋｅＵＰ制御部から前記ＰｏＥ機能対応ネットワークデバイス部を介して前記被遠隔操作端末のＷＡＫＥ−ＯＮ−ＬＡＮ機能ネットワークデバイスに電源を供給し、
該判断結果、前記ＬＡＮに直収されていない場合には前記パケットの宛先によりフォワーディング先を決定し、前記ＰｏＥ機能対応ネットワークデバイスに前記パケットの送信指示を行うことを特徴とする請求項１記載のネットワーク機器。
【発明の詳細な説明】
【技術分野】
【０００１】
本発明は、環境対応に適したネットワークシステムに関し、さらに詳しくは遠隔地の遠隔操作端末の操作に基づくネットワークからの指示によって例えばウェークアップ（WAKE−UP）機能を有する被遠隔操作端末（電気機器）の電源をオンやオフすることが可能なネットワークシステムにおいて、遠隔操作端末からのウェークアップ指示に基づいて、ウェークアップ機能を実現するデバイスを含む家電機器やコンピュータ装置等の被遠隔操作端末の電源を制御するネットワークシステム、ネットワーク機器に関する。
ネットワークに接続された機器（被遠隔操作端末）、例えばコンピュータ装置を遠隔操作で電源オン（ON）したいという要求に対しＷＡＫＥ−ＯＮ−ＬＡＮ（ウェーク・オン・ラン）機能が提案されている。
これにより、現地に赴くことなく遠隔操作で機器の電源オンが可能なため、夜間・休日など機器を使用しない時間帯に機器の主電源をオフ（OFF）にできる自由度が高まった。
その一例として、ウェークアップ機能をサポートしているコンピュータ装置において、ウェークアップ機能が有効と判断される場合に、当該ウェークアップ機能を実現可能なデバイスに補助電源から電力を供給し、ウェークアップ機能が無効にされていると判断される場合に、システムのパワーオフを実行するパワーオフ手段を備え、その待機電力を削減するものが提案されている。
【０００２】
【特許文献１】特開２００３−１９５９８９号公報
【発明の開示】
【発明が解決しようとする課題】
【０００３】
従来のＷＡＫＥ-ＯＮ-ＬＡＮ機能では、遠隔操作にて送信されるウェークアップ（WakeUP）パケットを受信し、機器の主電源をオンにするためのネットワークデバイス自身は常に稼動状態になっている必要がある。従ってデバイス部全体への電源供給が必要となり、その結果として膨大な待機電力を浪費せざるを得なかった。
この課題に対し、上記従来技術により、待機時の電源供給をネットワークデバイスのみにし、それ以外のデバイスへの電源供給をオフ（OFF）にすることで待機電力を最小限に抑えることが可能である。しかし、この従来技術にあっても、依然として待機電力の浪費は避けられなかった。つまり、従来のシステムはＷＡＫＥ−ＯＮ−ＬＡＮ機能を備えたネットワークデバイスが動作するためには待機電源が必要であった。
本発明の目的は、ネットワークに接続された機器を遠隔操作で電源オンにすることを、待機電力を浪費することなく実現し得るネットワークシステム、ネットワーク機器を提供することにある。
【課題を解決するための手段】
【０００４】
本発明は、ＷＡＫＥ−ＯＮ−ＬＡＮ機能対応機器（被遠隔操作端末）が接続されるＬＡＮにＰｏＥ（パワー・オーバ・イーサネット：Power over Ethernet）対応機器（ネットワーク機器）を接続し、該ＰｏＥ対応機器からＷＡＫＥ−ＯＮ−ＬＡＮ機能対応機器のネットワークデバイスに対し、ウェークアップ（WakeUP）パケット送信とともにＰｏＥ機能による電源を供給し、該電源をもってＷＡＫＥ−ＯＮ−ＬＡＮ機能対応機器のＷＡＫＥ−ＯＮ−ＬＡＮ機能を動作させ、ＷＡＫＥ−ＯＮ−ＬＡＮ機能対応機器の主電源オフ（OFF）時にネットワークデバイスへの電源供給もオフとする構成とした。
また、本発明は、ＷＡＫＥ−ＯＮ−ＬＡＮ機能対応機器が接続されるＬＡＮにＰｏＥ対応機器を接続し、別のＬＡＮにＰｏＥ機能による電源供給を可能な構成とし、該別のＬＡＮ上にＷＡＫＥ−ＯＮ−ＬＡＮ機能対応機器またはＷＡＫＥ−ＯＮ−ＬＡＮ機能及びＰｏＥ機能を備えた機器を接続し、ＷＡＫＥ−ＯＮ−ＬＡＮ機能対応機器のネットワークデバイスに対し、ウェークアップ（WakeUP）パケットを送信するとともにＰｏＥ対応機器よりＰｏＥ機能による電源を供給することでＷＡＫＥ−ＯＮ−ＬＡＮ機能を動作させ、ＷＡＫＥ−ＯＮ−ＬＡＮ機能及びＰｏＥ機能を備えた機器はＷＡＫＥ−ＯＮ−ＬＡＮ機能が動作することで主電源がオン（ON）になったとき、さらにＰｏＥ機能により別のＷＡＫＥ−ＯＮ−ＬＡＮ機能対応機器のネットワークデバイスに対し、ＷａｋｅＵＰパケットを送信すると共にＰｏＥ機能による電源供給することでＷＡＫＥ−ＯＮ−ＬＡＮ機能を動作させることにより、ネットワーク全体のＷＡＫＥ−ＯＮ−ＬＡＮ機能対応機器の主電源オフ（OFF）時にネットワークデバイスへの電源供給もオフとする構成とした。
【発明の効果】
【０００５】
従来技術では、遠隔操作で電源オンにしたい装置に対しネットワークデバイスが動作する
ための待機電力の供給が不可欠であったが、本発明によれば、この問題が解消可能となり、遠隔操作で電源オンにしたい装置の待機電力をゼロにできるという効果がある。
【発明を実施するための最良の形態】
【０００６】
以下、図面を参照して本発明の実施の形態を説明する。
【実施例１】
【０００７】
図１は、本発明の一実施例を示すネットワークシステム構成図である。このシステムは、ウェークアップ指示を送出する遠隔操作用の端末１０と、公衆網やインタネット、専用網などのネットワーク１３経由でウェークアップ指示を受信し、配下の端末（ＷＡＫＥ−ＯＮ−ＬＡＮ機能ネットワークデバイスを備えたウェークアップ対象装置である被遠隔操作端末）にウェークアップ指示を中継するとともにＰｏＥ（Power over Ethernet）機能による電源供給を行うネットワーク機器１１（ネットワーク機器Ａ）と、ＷＡＫＥ−ＯＮ−ＬＡＮ機能によりウェークアップ指示に従い主電源をオンし動作を開始する被遠隔操作端末１２（被遠隔操作端末Ａ）とから構成されている。ネットワーク機器１１は、ネットワーク１３と構内ＬＡＮ２０に接続され、被遠隔操作端末１２は、構内ＬＡＮ２０に接続されている。
ネットワーク機器１１は、例えばルータ若しくはLANスイッチ等である。図６にその一例を示す。図６はネットワーク機器１１の具体例としてＬＡＮスイッチ６００を使った場合の実施例を示す機能ブロック図である。ネットワーク機器１１のＬＡＮスイッチ６００は、ＰｏＥ機能対応ネットワークデバイス部６３０とフォワーデリング制御部６１０とＷａｋｅＵＰ制御部６２０とから構成されている。ネットワークデバイス部６３０はＬＡＮ２０に接続され、ＬＡＮ２０からパケットを受信または送信する。フォワーデリング制御部６１０は、ネットワークデバイス部６３０にて受信したパケットのフォワーディング先を決定するものであり、ネットワークデバイス部６３０から受け取ったパケットを維持しておくメモリ部６１２と受信したパケットのフォワーディング先を決定し、該パケットの送信指示を行うフォワーディング処理部６１１から構成されている。ＷａｋｅＵＰ制御部６２０は、ＷａｋｅＵＰ機能を制御する。
ここで、ＬＡＮ２０からイーサフレームを受信したネットワークデバイス部６３０は、イーサフレーム内に含まれているパケット部分を抽出し、該抽出パケットをフォワーデリング制御部６１０のメモリ部６１２に格納する。
ＷａｋｅＵＰ制御部６２０はフォワーデリング制御部６１０のメモリ部６１２に格納されたパケットがＷａｋｅＵＰパケットかどうか確認し、ＷａｋｅＵＰパケットだった場合はウェークアップ対象となる装置がＬＡＮスイッチ２０に直収されている装置か否かを判断する。直収されている装置であった場合は、ネットワークデバイス部６３０に対し電源供給を指示する。指示されたネットワークデバイス部６３０は対象となる装置が接続されるポートに対しＰｏＥ機能による電源供給を行う。
また、フォワーディング処理部６１０は、メモリ部６１２に格納されたパケットの宛先によりフォワーディング先を決定し、ネットワークデバイス部６３０に対し、パケットの送信指示を行う。ネットワークデバイス部６３０は、メモリ部６１２に格納されたパケットを指示されたフォワーディング先を示すイーサフレームの形に組み立て、対象ポートに送信する。
遠隔操作端末１０は、例えばパーソナルコンピュータや情報処理装置等のコンピュータ装置からなる。図７にその一例を示す。図７は被遠隔操作端末の一実施例を示す機能ブロック図である。図７を使って被遠隔操作端末の主電源がオンになる動作について説明する。
被遠隔操作端末７００（図１の被遠隔操作端末１２に相当）は、ＷＡＫＥ−ＯＮ−ＬＡＮ制御部１２１と主電源１２３とＣＰＵユニット１２２を構成する機器構成部７００から構成される。ＷＡＫＥ−ＯＮ−ＬＡＮ制御部７１０は、ネットワークデバイス部７１３及び該ネットワークデバイス部７１３が受信したパケットを維持するメモリ部７１２、ウェークアップ処理を行うウェークアップ処理部７１１から構成される。
また、機器構成部７３０はＣＰＵ部７３２及びデータを維持するメモリ部７３１から構成される。また、主電源７２０には電源供給のオン／オフを制御するスイッチング部７２１が含まれており、スイッチのオン／オフにより機器構成部７３０への電源供給が制御可能である。ただし、本実施例においてＷＡＫＥ−ＯＮ−ＬＡＮ制御部７１０は主電源７２０から電源供給を受けるのではなく、ＬＡＮ２０によりＰｏＥ機能による電源供給を受けて動作する構成となっている。
ここで、通常時のデータ通信の場合は、ネットワークデバイス部７１３を介して送受信されるパケットは機器構成部７３０内のメモリ部７３２に格納され、必要なデータ処理がＣＰＵ部７３１によってなされている。
被遠隔操作端末７００は夜間など動作を必要としない時間帯はスイッチング部７２１がスイッチオフ状態にすることで機器構成部７３０への電源供給が停止され、停止状態となっている。また、ＷＡＫＥ−ＯＮ−ＬＡＮ制御部７１０の電源供給はＰｏＥ機能により賄われているが、夜間など動作を必要としない時間帯には電源供給が停止されている状態になっている。
ウェークアップ操作が必要な場合、まず、ＬＡＮ２０を介してＰｏＥ機能による電源供給が開始される。電源が供給されることによりＷＡＫＥ−ＯＮ−ＬＡＮ部７１０は稼動状態に推移する。ネットワークデバイス部７１３はＬＡＮ２０から受信したパケットをメモリ部７１２に格納する。ウェークアップ処理部７１１はメモリ部７１２に格納されたパケットが自装置宛てのＷａｋｅＵＰパケットかどうか確認し、自装置宛てのＷａｋｅＵＰパケットであった場合には、スイッチング部７２１をスイッチオン状態に推移させる。これにより、主電源７２０から機器構成部７３０への電源供給が開始され、稼動状態に推移する。
構内ＬＡＮ２０はＰｏＥ対応ＬＡＮであり、イーサケーブルからなる。被遠隔操作端末１２は、例えばコンピュータ機能を有する情報処理装置からなる。この被遠隔操作端末は、複数の機能、例えばコピーやプリンタ機能を有する複合機器、ＶｏＩＰ対応の電話機（ＩＰ電話）、無線ＬＡＮのアクセスポイント、Ｗｅｂカメラ、テレビや冷蔵庫等の情報家電機器等であっても良い。  遠隔操作端末１０は例えばコンピュータや情報処理装置から構成されている。
図２は、ＰｏＥ機能による電源供給を行うネットワーク機器１１とＷＡＫＥ−ＯＮ−ＬＡＮ機能を有する被遠隔操作端末１２との接続関係を示すブロック図である。ネットワーク機器１１は例えば受電、給電機能を有するＬＡＮスイッチやハブ、ルータ等から構成されている。該機器はＰｏＥ機能を有するネットワークデバイス１１１を備えており、また図６、図７に示すようにＷａｋｅＵＰパケットを受信する受信部、該受信部にて受信したＷａｋｅＵＰパケットのＭＡＣアドレスをもってウェークアップ指示の宛先が直収装置（被遠隔制御操作端末）宛てか否を判断や該宛先が直収装置宛ての場合に該装置の接続ポートに電源供給を開始したり、該宛先の装置にＷａｋｅＵＰパケットを送信する処理手段部を備えている。ＰｏＥとは、イーサネット（Ethernet）の配線に使用されるケーブルを利用して電力を供給技術であり、これはＩＥＥＥ８０２．３ａｆとして標準化されている。一般には、４８Vで１５．４Ｗの電力が供給でき、電源をとりにくい場所に置く機器や従来電源が必要なかった機器をＥｔｈｅｒｎｅｔ（登録商標）対応にする場合に使われている。従って、その詳細説明は省略する。
被遠隔操作端末１２はＷＡＫＥ−ＯＮ−ＬＡＮ機能を有するネットワークデバイス１２１を含むデバイス部１２１、被遠隔操作端末の機能を実行するプログラム（図示せず）に基づき動作し、従来と同様の機能を実行するＣＰＵを含むユニット部１２２、被遠隔操作端末１２の主電源１２３、補助電源１２４、これらを結合するバス等を備えている。本願発明にあっては、補助電源１２４は不要であるが、被遠隔操作端末１２が既存のものであって補助電源を備えたものである場合には、未使用状態としておく。
遠隔操作端末１０から周知方法によりネットワーク１３を介してＷＡＫＥ−ＯＮ−ＬＡＮ機能ネットワークデバイス１２１を有する被遠隔操作端末１２に対してウェークアップ指示をすると、まず遠隔操作端末１０からのウェークアップ指示をネットワーク機器１１にて受け、該ネットワーク機器は、その指示に基づいて被遠隔操作端末１２に対しウェークアップ指示するとともにＰｏＥ機能をもって被円買う操作端末１２に対して電源供給を行う。このウェークアップ指示に従い被遠隔操作端末１２の主電源１２３はオンし、該被遠隔操作端末の動作を開始する。すなわち、ＰｏＥ機能による電源供給を行うネットワーク機器１１は、遠隔操作端末１０から送られてくるＩＰパケットを受信し、該受信ＩＰパケットなどをフォワード（forward）するネットワーク機能に加え、ＰｏＥ機能に対応したネットワークデバイス１１１により、当該ポートに接続されたＬＡＮ接続機器（この実施例ではＬＡＮ２０に接続された被遠隔操作端末１２）に対する電源供給機能を有する。ここで、フォワードとは、遠隔操作端末１０から受け取ったＷａｋｅＵＰパケットを別の経路へ向けて再送信することを意味する。
被遠隔操作端末１２は、ネットワーク機器１１からＬＡＮ２０を介して電源供給を受け、これによって主電源１２３がオンする。
図３は、遠隔操作端末１０からの遠隔操作により被遠隔操作端末１２の主電源をオンにする詳細な動作を説明するフローチャートである。
同図において、ネットワーク機器１１の電源がオン、被遠隔操作端末１２の主電源がオフ状態にあるとき、遠隔操作端末１０の電源をオン（ステップＳ３０１）し、該遠隔操作端末１０からウェークアップ指示操作をすると、該遠隔操作端末から被遠隔操作端末１２宛てのＷａｋｅＵＰパケットがネットワーク１３を介してネットワーク機器１１に送信される(ステップＳ３０２)。ＷａｋｅＵＰパケットにはネットワーク機器１１が直収する装置、つまり構内ＬＡＮ２０につながる被遠隔操作端末１２に固有に割り当てされたＭＡＣアドレスが含まれている。ネットワーク機器１１はこのＷａｋｅＵＰパケットを受信し(ステップＳ３１１)すると、ウェークアック指示の宛先がネットワーク機器１１に直収されている装置（被遠隔操作端末Ａ）宛てか否かを判断する(ステップＳ３１２)。直収されている装置宛てではない場合、当該ネットワーク宛てにＷａｋｅＵＰパケットをフォワーディングする(ステップＳ３１６)。直収されている装置宛ての場合には、対象となる装置が接続されているポート向けにＰｏＥ機能による電源供給を開始し(ステップＳ３１３)、引き続いて当該装置宛にＷａｋｅＵＰパケットを送信する(ステップＳ３１４)。
被遠隔操作端末１２は、そのネットワークデバイス１２１がネットワーク機器１１からＬＡＮ２０を介して電源供給を受けることによってＷＡＫＥ−ＯＮ−ＬＡＮ対応ネットワークデバイス１２１の電源がオン状態に推移し、ネットワーク機器１１から送信されるパケットが受信可能状態となる(ステップＳ３２２)。被遠隔操作端末１２がネットワーク機器１１側から自装置宛のＷａｋｅＵＰパケットを受信(図３のステップＳ３２３)すると、このことを契機に主電源１２３をオンする(ステップＳ３２４)。これによって、被遠隔操作端末１２が稼動状態となる。
ここで、ＷａｋｅＵＰパケットは、マジックパケットと呼ばれるパケットで実現されている。図８にＩＰパケット内にマジックパケット（Magic Packet）がデータとして格納されているＷａｋｅＵＰパケットの一例を示し、ＷａｋｅＵＰパケット８００は、‘０ｘｆｆ’のデータが６個（６バイト）並び、続いてターゲットとなるネットワークデバイスのＭＡＣアドレスが１６個（６バイト×１６＝９６バイト）並ぶ形で表現されるデータを含んでいる。
即ち、図８においてマジックパケット８００はＩＰヘッダ部８０１とＩＰデータ部８０２からなり、ＩＰヘッダ部８０１には、バージョン、ヘッダ長、サービスタイプ、パケット長、識別子、フラグ、フラグメントオフセット、生存時間、プロトコル、ヘッダチェックサム、送信元ＩＰアドレス、オプション等の情報が含まれており、ＩＰデータ部８０２には、６個の‘０ｘｆｆ’のデータ、複数のＭＡＣアドレス、パディング等の情報が含まれている。マジックパケットについては、そのパケット形態は問わない。イーサーフレームに直打ちされていようが、ＩＰパケットに格納されていようが、マジックパケット形式のデータ列を受信したとき、ＷＡＫＥ−ＯＮ−ＬＡＮデバイスが反応するように構成されていれば良い。
【実施例２】
【０００８】
図４は、ネットワーク機器と被遠隔操作端末を多段化した場合の本発明の他の実施例を示すブロック図である。同図において、１５はＬＡＮ２０とＬＡＮ２１との間に接続されたネットワーク機器、１６はＬＡＮ２１に接続された被遠隔操作端末である。これらのネットワーク機器１５や被遠隔操作端末１６は図１、図２の実施例と同様な構成となっている。従って、その詳細な構成、動作説明は省略する。
つまり、図４は、図１のシステムより大きなネットワークシステムへの適用事例を示したネットワークシステム構成図である。このシステムは、ウェークアップ指示を送出する遠隔操作端末１０と、公衆網などのネットワーク１３経由でウェークアップ指示を受信し、配下の装置（被遠隔操作端末１５）にウェークアップ指示を中継するとともにＰｏＥ機能による電源供給を行うネットワーク機器１１と、ネットワーク機器１１が接続される構内ＬＡＮ２０と、構内ＬＡＮ２０に接続されたＷＡＫＥ−ＯＮ−ＬＡＮ機能ネットワークデバイス１２１（図２参照）を含み、前記ウェークアップ指示に従い主電源をオンにし動作を開始する被遠隔操作端末１２と、同じ構内ＬＡＮ２０に接続されＷＡＫＥ−ＯＮ−ＬＡＮ機能によりウェークアップ指示に従い自装置の主電源をオンにすると同時に配下の装置（被遠隔操作端末１６）にウェークアップ指示を中継するとともにＰｏＥ機能による電源供給を行うネットワーク機器１５と、ネットワーク機器１５によって接続される別の構内ＬＡＮ２１と、該構内ＬＡＮ２１に接続されたＷＡＫＥ−ＯＮ−ＬＡＮ機能ネットワークデバイスを含み、前記ウェークアップ指示に従い主電源をオンにし動作を開始する被遠隔操作端末１６から構成されている。
図５は、遠隔操作端末１０の遠隔操作により被遠隔操作端末１２及び１６の電源をオンにする詳細な動作を説明するフローチャートである。
同図において、ネットワーク機器１１が電源オン、ネットワーク機器１５が電源オフ、被遠隔操作端末１２及び被遠隔操作端末１６が電源オフ状態となっているとき、遠隔操作端末１０の電源をオンし、該遠隔操作端末にてウェークアップ指示操作をすると、ネットワーク機器１５、被遠隔操作端末１２、被遠隔操作端末１６宛てのＷａｋｅＵＰパケットが送信される(ステップＳ５０２)。
ネットワーク機器１１は、このＷａｋｅＵＰパケットを受信した場合(ステップＳ５１１)、宛先がネットワーク機器１１に直収されている装置宛てか否かを判断する(ステップＳ５１２)。直収されている装置宛てではない場合、該当ネットワーク宛てにＷａｋｅＵＰパケットをフォワーディングする(ステップＳ５１６)。直収されている装置宛ての場合、対象となる装置が接続されているポート向けにＰｏＥ機能による電源供給を開始し(ステップＳ５１３)、引き続いて該当装置宛にＷａｋｅＵＰパケットを送信する(ステップＳ５１４)。ネットワーク機器１１によるこれらの処理はＷａｋｅＵＰパケットを受信する度に実施する。
被遠隔操作端末１２では、ネットワークデバイス１１１がＬＡＮ２０からの電源供給を受けることによって電源オン状態に推移し、パケット受信可能状態となる(ステップＳ５２２)。ネットワーク機器１１側から自装置宛のＷａｋｅＵＰパケットを受信(ステップＳ５２３)したことを契機に主電源オン動作を行う(ステップＳ５２４)ことで、被遠隔操作端末１２が稼動状態となる。
さらにネットワーク機器１５では、ネットワークデバイス１５１（図示せず）がＬＡＮ２０からの電源供給を受けることによって電源オン状態に推移し、パケット受信可能状態となる(ステップＳ５３０２)。ネットワーク機器１１側からＷａｋｅＵＰパケット(宛先は不問)を受信(ステップＳ５３０３)したことを契機に主電源オン動作を行う(ステップＳ５３０４)ことで、ネットワーク機器１６が稼動状態となる。受信したＷａｋｅＵＰパケットの宛先が自装置宛てか否かを判断し(ステップＳ５３０５)、自装置宛てなら処理を終了(ステップＳ５３０６)、自装置宛てでは無い場合、ネットワーク機器１５に直収されている装置宛てか否かを判断する(ステップＳ５３０７)。直収されている装置宛てではない場合、該当ネットワーク宛てにＷａｋｅＵＰパケットをフォワーディングする(ステップＳ５３１０)。直収されている装置宛ての場合、対象となる装置が接続されているポート向けにＰｏＥ機能による電源供給を開始し(ステップＳ５３０７)、引き続いて該当装置宛にＷａｋｅＵＰパケットを送信する(ステップＳ５３０８)。ネットワーク機器１５ではこれらの操作をＷａｋｅＵＰパケットを受信する度に実施する。
被遠隔操作端末１６では、ネットワークデバイス１５１がＬＡＮ２１からの電源供給を受けることによって電源オン状態に推移し、パケット受信可能状態となる(ステップＳ５４１)。ネットワーク機器１６側から自装置宛のＷａｋｅＵＰパケットを受信(ステップＳ５４２)したことを契機に主電源オン動作を行う(ステップＳ５４３)ことで、被遠隔操作端末１６が稼動状態となる。
以上の動作により、開始時に電源オフであったネットワーク機器１５及び被遠隔操作端末１２及び１６が遠隔操作端末１０からの指示に従い稼動状態となる。
なおこの実施例により、ネットワークの規模が大きくなり、多数の構内ＬＡＮが存在し、かつ被遠隔操作端末の数が増えたとしても、ＬＡＮ間を接続する位置にネットワーク機器１５に相当するネットワーク機器を配備することにより、構内ＬＡＮ上の全てのＷＡＫＥ−ＯＮ−ＬＡＮ機能を備えた端末に対し、待機電源を浪費することなく遠隔地からの操作で装置を起動することを実現可能である。
【産業上の利用可能性】
【０００９】
本発明はパーソナルコンピュータからなる情報処理装置以外に情報通信家電にも適用可能
である。
【図面の簡単な説明】
【００１０】
【図１】本発明の一実施例を示すシステム構成図である。
【図２】本発明のネットワーク機器と被遠隔操作端末との関係示すブロック図である。
【図３】図１に示す実施例の動作を説明するフローチャートである。
【図４】本発明の他の実施例を示すシステム構成図である。
【図５】図４に示す実施例の動作を説明するフローチャートである。
【図６】ネットワーク機器の一例を示すブロック図である。
【図７】被遠隔操作端末の一例を示すブロック図である。
【図８】ＷａｋｅＵＰパケットの一構成例を示す図である。
【符号の説明】
【００１１】
１０：遠隔操作端末
１１：ネットワーク機器
１２：被遠隔操作端末
１１１：ＰｏＥ機能ネットワークデバイス
１２１：ＷＡＫＥ−ＯＮ−ＬＡＮ機能ネットワークデバイス
１２３：主電源
【図１】
2009284116.tif 000003
【図２】
2009284116.tif 000004
【図３】
2009284116.tif 000005
【図４】
2009284116.tif 000006
【図５】
2009284116.tif 000007
【図６】
2009284116.tif 000008
【図７】
2009284116.tif 000009
【図８】
2009284116.tif 000010